(57)【要約】【課題】手帳は、ポケット内に収納されても容易にポケット外に脱落しやすく、脱落すると手帳を汚したり遺失してしまうことがあり、ポケットから容易に脱落しないようにする手段が課題となっていた。【解決手段】弾性材を折り曲げて手帳挟着部とポケット挟着部とし、手帳挟着部に手帳を挟着する為のスリットを入れ分離して滑り止め或いは粘着テープを貼ることで手帳の脱落を防止し、ポケット挟着部の弾性でポケットと手帳を圧着して脱落を防止する手帳用脱落防止具を手帳に固定する。【選択図】図５
2005265173.tif 000002
【特許請求の範囲】
【請求項１】
弾性材を折り曲げて手帳挟着部とポケット挟着部とし、手帳挟着部に手帳を挟着する為にスリットを入れ分離して滑り止め或いは粘着テープを貼ることで手帳の脱落を防止し、ポケット挟着部の弾性でポケットと手帳を圧着して脱落を防止する事を特長とする手帳用脱落防止具。
【請求項２】
弾性材を折り曲げて手帳挟着部とポケット挟着部とし、手帳挟着部に手帳を挟着する為にスリットを入れ分離して滑り止め或いは粘着テープを貼ることで手帳の脱落を防止し、手帳挟着部に回動可能なレバーを取り付け、レバーを倒してポケットを挟着し、ポケットと手帳を圧着して脱落を防止する事を特長とする手帳用脱落防止具。
【請求項３】
弾性材を手帳挟着部とし、手帳挟着部手帳を挟着するようにスリットを入れ分離して滑り止め或いは粘着テープを貼ることで手帳の脱落を防止し、手帳挟着部に回動可能はレバーを設け、且つバネで手帳挟着部とレバーを圧着することでレバーと手帳挟着部の間にポケットを挟着して脱落を防止する事を特長とする手帳用脱落防止具。
【請求項４】
請求項１乃至３の手帳用脱落防止具を手帳の表紙に挟着固定、或いは手帳用脱落防止具の手帳挟着部を手帳の表紙に一体加工してなる脱落防止機能付手帳。
【発明の詳細な説明】
【技術分野】
【０００１】  本発明は、ポケットに収納した手帳が容易に脱落しないようにする機能を有する手帳用脱落防止具に関するものである。
【背景技術】
【０００２】  従来、手帳は鞄やポケットに収納して携帯するたいへん便利な記録手段であった。特に、小型手帳は上着の胸ポケットや内ポケット内に収納しているが、下を向いた際にポケットから手帳が脱落して汚れたり紛失した経験がある人も多い。
そこで、手帳に何らかの脱落防止機構を付加すれば、ポケットから手帳が脱落することはない。【０００３】  手帳の脱落防止方法として、次の方法が周知であった。
ボールペンやシャープペン等はそれのクリップをポケットに挟着することで脱落を防止しているが、このボールペンやシャープペン等のクリップの反対側にもクリップを設けると、クリップに手帳を挟着することで手帳をボールペンやシャープペン等を仲介してポケットに挟着する手段もあった。【０００４】  次に、ゼムクリップを貼った粘着剤付ラベルを手帳に張り付け、ゼムクリップをポケットに挟着することで手帳の脱落を防止する方法もあった。
【特許文献１】特願平６−２６９２３３
【特許文献２】特願２００１−１５３２２７
【発明の開示】
【発明が解決しようとする課題】
【０００５】  市販されている手帳は、ポケット内に収納されても容易にポケット外に脱落しやすい。脱落すると、手帳を汚したり、紛失してしまうこともあった。その為、ポケットから容易に脱落しないようにする手段が課題となっていた。
【課題を解決するための手段】
【０００６】  手帳にクリップ等を付け、クリップでポケットを挟着すれば、ポケットからの脱落は免れる。クリップは、様々な方式や形状が考えられるが、ボールペン等の筆記具に付いているクリップ式やバネの弾性を利用したクリップ式等が考えられる。
【発明の効果】
【０００７】  従来ある手帳は、容易にポケットから脱落し、汚れたり紛失することもよくあるが、このクリップ付きの手帳を使用すれば、胸ポケット或いは内ポケットに、しっかりと挟着・収納されているので、容易には脱落することはない。脱落が回避されることで、大事な手帳や内部情報を保護する事ができる。
【発明を実施するための最良の形態】
【０００８】  クリップは弾力性素材を使用し、その弾性力でクリップ部をポケットに挟着する方法がある。クリップを手帳に固定する手段は、割れを設けて手帳の表紙を挟着或いは接着して固定する。ポケットとの挟着は、クリップの弾性を利用する。ポケットとの接触面には滑り止めを設けると良い。【０００９】  クリップを手帳に固定する手段は、割れを設けて手帳の表紙を挟着或いは接着して固定する。次に、ポケットを挟着するクリップ部はバネの弾性力を利用してポケットに挟着する。ポケットとの接触面には滑り止めを設けると良い。
【実施例１】
【００１０】  図１を説明する。本図は第１実施例を示す図である。
弾性材を折り曲げ、手帳を挟着するように手帳挟着部（１）を切り抜き、手帳挟着部Ａ（２）と手帳挟着部Ｂ（３）を設ける。手帳挟着部Ａ（２）と手帳挟着部Ｂ（３）には、滑り止め（４）を設ける。折り曲げた手帳挟着部（１）の反対側はポケット挟着部（５）とし、ポケット挟着部（５）の弾性でポケットと手帳を圧着して脱落を防止する。ポケット挟着部（５）の内面に滑り止め（４）を設けると良い。【００１１】  図２を説明する。本図は第１実施例の断面図である。
クリップの手帳挟着部Ａ（２）と手帳挟着部Ｂ（３）とで、手帳（６）を挟着する。手帳挟着部Ａ（２）と手帳挟着部Ｂ（３）には、滑り止め（４）が設けられるので、手帳（６）に食い込んで脱落を防止する。ポケット挟着部（５）は弾性によりポケット（７）と手帳（６）を内側に挟着することで脱落を防止する。ポケット挟着部（５）の内面に滑り止め（４）を設けると良い。
【実施例２】
【００１２】  図３を説明する。本図は第２実施例を示す図である。
弾性材を折り曲げ、手帳を挟着するように手帳挟着部（１）を切り抜き、手帳挟着部Ａ（２）と手帳挟着部Ｂ（３）を設ける。手帳挟着部Ａ（２）と手帳挟着部Ｂ（３）には、粘着テープ（８）を設ける。折り曲げた手帳挟着部（１）の反対側はポケット挟着部（５）とし、クリップの弾性でポケット挟着部（５）がポケット（７）と手帳を内側に挟着して脱落を防止する。ポケット挟着部（５）の内面に滑り止め（４）を設けると良い。
【実施例３】
【００１３】  図４を説明する。本図は第３実施例を示す図であり、ポケットを挟着する前の状態を示す図である。
弾性材を折り曲げ、手帳を挟着するように手帳挟着部（１）を切り抜き、手帳挟着部Ａ（２）と手帳挟着部Ｂ（３）を設ける。手帳挟着部Ａ（２）と手帳挟着部Ｂ（３）には、滑り止め（４）或いは粘着テープ（８）を設ける。折り曲げた手帳挟着部（１）の反対側にポケット挟着部（５）を設ける。手帳挟着部（１）に支持部（９）を設け、支持部（９）の軸（１０）を中心に回転する凸部（１１）と一体化したレバー（１２）を設ける。【００１４】  図５を説明する。本図は第３実施例を示す図であり、ポケットを挟着した後の状態を示す図である。
レバー（１２）を回すと凸部（１１）がポケット挟着部（５）を押し、ポケット（７）を挟着するが、凸部（１１）の先端は、軸（１０）から手帳挟着部（１）に下ろした垂線よりも上部（図面上）にあるので、レバー（１２）は確実にポケット（７）を挟着保持する。
【実施例４】
【００１５】  図６を説明する。本図は第４実施例を示す図であり、ポケットを挟着する前の状態を示す図である。
弾性材を折り曲げ、手帳を挟着するように手帳挟着部（１）を切り抜き、手帳挟着部Ａ（２）と手帳挟着部Ｂ（３）を設ける。手帳挟着部Ａ（２）と手帳挟着部Ｂ（３）には、滑り止め（４）或いは粘着テープ（８）を設ける。折り曲げた手帳挟着部（１）の反対側にポケット挟着部（５）を設ける。手帳挟着部（１）に支持部（９）を設け、支持部（９）の軸（１０）を中心に回転する凸部（１１）と一体化したレバー（１２）を設ける。このレバー（１２）には滑り止め（４）を設けるが、なくても良い。【００１６】  図７を説明する。本図は第４実施例を示す図であり、ポケットを挟着した後の状態を示す図である。
レバー（１２）を回すと凸部（１１）が弾性部（１３）を押し、ポケット（７）を挟着するが、凸部（１１）の先端は、軸（１０）から手帳挟着部（１）に下ろした垂線よりも上部（図面上）にあるので、レバー（１２）は確実にポケット（７）を挟着保持する。
【実施例５】
【００１７】  図８を説明する。本図は第５実施例を示す図である。
弾性材を折り曲げ、手帳を挟着するように手帳挟着部（１）を切り抜き、手帳挟着部Ａ（２）と手帳挟着部Ｂ（３）を設ける。手帳挟着部Ａ（２）と手帳挟着部Ｂ（３）には、滑り止め（４）或いは粘着テープ（８）を設ける。
手帳挟着部（１）の端部に軸（１０）を設け、レバー（１２）をバネ（１４）の復元力を保持しながら取り付ける。レバー（１２）の先を握り部（１５）とし、他端の内側に滑り止め（４）を設けるが、なくても良い。
レバー（１２）の握り部（１５）を圧するとレバー（１２）が開放され、握り部（１５）を戻すとバネ（１４）の復元力によってポケット（７）強く挟着保持する。
【実施例６】
【００１８】  図９を説明する。本図は第６実施例を示す図である。
手帳挟着部（１）にポケット挟着部（５）を設け、更に手帳挟着部（１）に粘着テープ（８）を設ける。粘着テープ（８）を手帳の背表紙内側に接着して使用する。
【実施例７】
【００１９】  図１０を説明する。本図は第７実施例を示す図である。
本実施例は、第１乃至第５実施例の手帳用脱落防止具を手帳に固定或いは一体化した手帳である。
【実施例８】
【００２０】  図１１を説明する。本図は第８実施例を示す図である。
本実施例は、第６実施例の手帳用脱落防止具を手帳に固定或いは一体化した手帳である。
【産業上の利用可能性】
【００２１】  本発明は手帳のポケットからの脱落防止具であるが、名札、シートその他に応用することができる。
【図面の簡単な説明】
【００２２】
【図１】本発明の実施方法を示した説明図である。（実施例１）
【図２】本発明の実施方法を示した説明図である。（実施例１）
【図３】本発明の実施方法を示した説明図である。（実施例２）
【図４】本発明の実施方法を示した説明図である。（実施例３）
【図５】本発明の実施方法を示した説明図である。（実施例３）
【図６】本発明の実施方法を示した説明図である。（実施例４）
【図７】本発明の実施方法を示した説明図である。（実施例４）
【図８】本発明の実施方法を示した説明図である。（実施例５）
【図９】本発明の実施方法を示した説明図である。（実施例６）
【図１０】本発明の実施方法を施した手帳を示した説明図である。（実施例７）
【図１１】本発明の実施方法を施した手帳を示した説明図である。（実施例８）
【符号の説明】
【００２３】  １      手帳挟着部
２      手帳挟着部Ａ
３      手帳挟着部Ｂ
４      滑り止め
５      ポケット挟着部
６      手帳
７      ポケット
８      粘着テープ
９      支持部
１０    軸
１１    凸部
１２    レバー
１３    弾性部
１４    バネ
１５    握り部
【図１】
2005265173.tif 000003
【図２】
2005265173.tif 000004
【図３】
2005265173.tif 000005
【図４】
2005265173.tif 000006
【図５】
2005265173.tif 000007
【図６】
2005265173.tif 000008
【図７】
2005265173.tif 000009
【図８】
2005265173.tif 000010
【図９】
2005265173.tif 000011
【図１０】
2005265173.tif 000012
【図１１】
2005265173.tif 000013